(57)【特許請求の範囲】
【請求項１】
充填された粘性流体の移動を制限することにより、加えられた回転力に対して制動トルクを発生させるロータリダンパであって、
前記粘性流体が充填された円筒室を備えるケースと、
前記ケースに対して、前記円筒室の中心線周りに相対的に回転するように前記円筒室に収容されたロータと、
前記ロータの回転方向により開閉する逆止弁と、
前記回転力が所定値以上の場合に開放して前記粘性流体の移動の制限を解除する調圧弁と、
前記円筒室の中心線に沿って当該円筒室の側壁面に形成され、先端面が前記ロータの外周面と近接する凸状の仕切りと、
前記ロータの外周面に形成され、先端面が前記円筒室の側面と近接するベーンと、
前記仕切りおよび前記ベーンの少なくとも一方に形成され、前記仕切りおよび前記ベーンにより区切られる領域間を繋ぐ流路と、を有し、
前記流路には、
前記逆止弁をスライド自在に収容するための第一の流路区間と、前記調圧弁を収容するための第二の流路区間と、が形成されており、
前記第一の流路区間は、
前記第二の流路区間に対して、前記仕切りおよび前記ベーンにより区切られる領域のうち、前記ケースに対して前記ロータを正転方向に相対的に回転させた場合に当該領域内の前記粘性流体が加圧される領域側に隣接しており、
前記逆止弁は、
貫通孔が形成された板状部材であり、
前記調圧弁は、
前記逆止弁の貫通孔に対する栓部と、前記栓部を前記第一の流路区間側へ押圧する弾性体と、前記栓部の前記第一の流路区間内への移動を規制するストッパと、を有し、
前記ケースに対して前記ロータを前記正転方向に相対的に回転させた場合に、前記逆止弁が前記第一の流路区間の前記第二の流路区間側端部までスライドし、前記回転力が前記所定値未満ならば、前記弾性体により押圧された前記栓部が当該逆止弁の貫通孔に押し込まれ、前記流路を閉口して、前記仕切りおよび前記ベーンにより区切られる領域間における前記粘性流体の移動を制限し、前記回転力が前記所定値以上ならば、前記流路を流れようとする前記粘性流体の圧力により前記栓部が押し戻されて当該逆止弁の貫通孔から離れ、前記流路を開口して、前記仕切りおよび前記ベーンにより区切られる領域間における前記粘性流体の移動を許容し、
前記ケースに対して前記ロータを逆転方向に相対的に回転させた場合に、前記逆止弁が前記第一の流路区間の前記第二の流路区間側端部から離れる方向にスライドし、前記ストッパにより前記第一の流路区間内への移動が規制された前記栓部が当該逆止弁の貫通孔に押し込まれることなく、前記流路を開口する
ことを特徴とするロータリダンパ。
【請求項２】
充填された粘性流体の移動を制限することにより、加えられた回転力に対して制動トルクを発生させるロータリダンパであって、
前記粘性流体が充填された円筒室を備えるケースと、
前記ケースに対して、前記円筒室の中心線周りに相対的に回転するように前記円筒室に収容されたロータと、
前記ロータの回転方向により開閉する逆止弁と、
前記回転力が所定値以上の場合に開放して前記粘性流体の移動の制限を解除する調圧弁と、
前記円筒室の中心線に沿って当該円筒室の側壁面に形成され、先端面が前記ロータの外周面と近接する凸状の仕切りと、
前記ロータの外周面に形成され、先端面が前記円筒室の側面と近接するベーンと、
前記仕切りおよび前記ベーンの少なくとも一方に形成され、前記仕切りおよび前記ベーンにより区切られる領域間を繋ぐ流路と、を有し、
前記流路は、
路幅を狭めるための凸部が形成されており、
前記逆止弁は、
前記凸部により規制される範囲内で前記流路内をスライド自在に収容された、貫通孔を備える板状の弁部と、当該弁部に対して、前記仕切りおよび前記ベーンにより区切られる領域のうち、前記ケースに対して前記ロータを正転方向に相対的に回転させた場合に当該領域内の前記粘性流体が減圧される領域側に配された、前記調圧弁を収容するための収容部と、を有し、
前記調圧弁は、
前記弁部の貫通孔に対する栓部と、前記栓部を前記弁部の貫通孔へ押圧する弾性体と、を有し、
前記ケースに対して前記ロータを前記正転方向に相対的に回転させた場合に、前記逆止弁の弁部が前記流路の凸部と当接するまでスライドし、前記回転力が前記所定値未満ならば、前記弾性体により押圧された前記栓部が当該逆止弁の弁部の貫通孔に押し込まれ、前記流路を閉口して、前記仕切りおよび前記ベーンにより区切られる領域間における前記粘性流体の移動を制限し、前記回転力が前記所定値以上ならば、前記流路を流れようとする前記粘性流体の圧力により前記栓部が押し戻されて当該逆止弁の弁部の貫通孔から離れ、前記流路を開口して、前記仕切りおよび前記ベーンにより区切られる領域間における前記粘性流体の移動を許容し、
前記ケースに対して前記ロータを逆転方向に相対的に回転させた場合に、前記逆止弁の弁部が前記流路の凸部から離れる方向へスライドし、前記流路を開口する
ことを特徴とするロータリダンパ。
【請求項３】
充填された粘性流体の移動を制限することにより、加えられた回転力に対して制動トルクを発生させるロータリダンパであって、
前記粘性流体が充填された円筒室を備えるケースと、
前記ケースに対して、前記円筒室の中心線周りに相対的に回転するように前記円筒室に収容されたロータと、
前記ロータの回転方向により開閉する逆止弁と、
前記回転力が所定値以上の場合に開放して前記粘性流体の移動の制限を解除する調圧弁と、
前記円筒室の中心線に沿って当該円筒室の側壁面に形成され、先端面が前記ロータの外周面と近接する凸状の仕切りと、
前記ロータの外周面に形成され、先端面が前記円筒室の側面と近接するベーンと、
前記仕切りおよび前記ベーンの一方に形成され、前記仕切りおよび前記ベーンにより区切られる領域間を繋ぐ調圧弁用流路と、
前記仕切りおよび前記ベーンの他方に形成され、前記仕切りおよび前記ベーンにより区切られる領域間を繋ぐ逆止弁用流路と、を有し、
前記調圧弁用流路は、
第一の調圧弁用流路区間と、当該第一の調圧弁用流路区間に対して、前記仕切りおよび前記ベーンにより区切られる領域のうち、前記ケースに対して前記ロータを正転方向に相対的に回転させた場合に当該領域内の前記粘性流体が減圧される領域側に配された、当該第一の調圧弁用流路区間よりも幅広の第二の調圧弁用流路区間と、を有し、
前記逆止弁用流路は、
第一の逆止弁用流路区間と、当該第一の逆止弁用流路区間に対して、前記仕切りおよび前記ベーンにより区切られる領域のうち、前記ケースに対して前記ロータを前記正転方向に相対的に回転させた場合に当該領域内の前記粘性流体が加圧される領域側に配された、当該第一の逆止弁用流路区間よりも幅広の第二の逆止弁用流路区間と、を有し、
前記調圧弁は、
前記第一の調圧弁用流路区間に対する栓部と、当該栓部を前記第二の調圧弁用流路区間側から前記第一の調圧弁用流路区間へ押圧する弾性体と、を有し、
前記ケースに対して前記ロータを前記正転方向に相対的に回転させた場合に、前記回転力が前記所定値未満ならば、前記弾性体により押圧された前記栓部が前記第一の調圧弁用流路区間に押し込まれ、前記調圧弁用流路を閉口して、前記仕切りおよび前記ベーンにより区切られる領域間における前記粘性流体の移動を制限し、前記回転力が前記所定値以上ならば、前記調圧弁用流路を流れようとする前記粘性流体の圧力により前記栓部が押し戻されて前記第一の調圧弁用流路区間から離れ、前記調圧弁用流路を開口して、前記仕切りおよび前記ベーンにより区切られる領域間における前記粘性流体の移動を許容し、
前記逆止弁は、
前記第二の逆止弁用流路区間をスライド自在に配置されており、
前記ケースに対して前記ロータを前記正転方向に相対的に回転させた場合に、前記逆止弁が前記第一の逆止弁用流路区間側へスライドして前記第一の逆止弁用流路区間を塞ぎ、前記逆止弁用流路を閉口し、前記ロータを逆転方向に相対的に回転させた場合に、前記逆止弁が前記第一の逆止弁用流路区間から離れる方向へスライドし、前記逆止弁用流路を開口する
ことを特徴とするロータリダンパ。
【請求項４】
充填された粘性流体の移動を制限することにより、加えられた回転力に対して制動トルクを発生させるロータリダンパであって、
前記粘性流体が充填された円筒室を備えるケースと、
前記ケースに対して、前記円筒室の中心線周りに相対的に回転するように前記円筒室に収容されたロータと、
前記ロータの回転方向により開閉する逆止弁と、
前記回転力が所定値以上の場合に開放して前記粘性流体の移動の制限を解除する調圧弁と、
前記円筒室の中心線に沿って当該円筒室の側壁面に形成され、先端面が前記ロータの外周面と近接する凸状の仕切りと、
前記ロータの外周面に形成され、先端面が前記円筒室の側面と近接するベーンと、
前記仕切りおよび前記ベーンの少なくとも一方に形成され、前記仕切りおよび前記ベーンにより区切られる領域間を繋ぐ流路と、を有し、
前記流路は、
第一の流路区間と、当該第一の流路区間に対して、前記仕切りおよび前記ベーンにより区切られる領域のうち、前記ケースに対して前記ロータを正転方向に相対的に回転させた場合に当該領域内の前記粘性流体が減圧される領域側に配された、当該第一の流路区間よりも幅広の第二の流路区間と、を有し、
前記調圧弁は、
前記第一の流路区間に対する栓部と、当該栓部を前記第二の流路区間側から前記第一の流路区間へ押圧する弾性体と、を有し、
前記ケースに対して前記ロータを前記正転方向に相対的に回転させた場合に、前記回転力が前記所定値未満ならば、前記弾性体により押圧された前記栓部が前記第一の流路区間に押し込まれ、前記流路を閉口して、前記仕切りおよび前記ベーンにより区切られる領域間における前記粘性流体の移動を制限し、前記回転力が前記所定値以上ならば、前記流路を流れようとする前記粘性流体の圧力により前記栓部が押し戻されて前記第一の流路区間から離れ、前記流路を開口して、前記仕切りおよび前記ベーンにより区切られる領域間における前記粘性流体の移動を許容し、
前記逆止弁は、
前記ロータのベーンに取り付けられ、前記ケースに対して前記ロータを前記正転方向に相対的に回転させた場合に、前記ロータのベーンと前記円筒室との隙間を塞ぐように変形し、前記ケースに対して前記ロータを逆転方向に相対的に回転させた場合に、前記ロータのベーンと前記円筒室との隙間を維持するように変形するシール部材である
ことを特徴とするロータリダンパ。
【発明の詳細な説明】
【技術分野】
【０００１】
本発明は、ロータリダンパに関し、特に、一方向性のロータリダンパに好適な構造に関する。
【背景技術】
【０００２】
正転方向の回転に対して強い制動トルクを発生させる一方、逆転方向の回転に対しては弱い制動トルクを発生させる、いわゆる一方向性のロータリダンパが知られている。例えば、特許文献１には、構造が簡単で安価に製造可能な一方向性のロータリダンパが開示されている。
【０００３】
特許文献１に記載のロータリダンパは、円筒室を備えたケースと、円筒室の中心線と回転軸が一致して回転自在となるように円筒室内に収容された、円筒形状のロータ本体およびベーンを備えたロータ（回転体）と、円筒室内に充填された粘性流体と、円筒室内にロータを粘性流体とともに封じ込める蓋と、を有する。円筒室の内壁面には、ロータ本体の外周面と僅かなギャップを形成するように、中心線に向かって凸状の仕切りが形成されている。ベーンは、円筒室の内周面と僅かなギャップを形成するように、ロータ本体の外周面から円筒室の内周面側に向かって突出して形成されている。このベーンには、ロータの回転方向と垂直な一方の側面（第一の側面と呼ぶ）から他方の側面（第二の側面と呼ぶ）へと繋がる流路が形成されている。また、ベーンの先端面（円筒室の内壁面と対向する面）には、円筒室の内壁面との間のギャップを埋めるシール部材が取り付けられている。そして、このシール部材は、ベーンの回転方向において第二の側面側から流路の開閉を行う弾性体の逆止弁を備えている。
【０００４】
以上のような構成において、特許文献１に記載のロータリダンパは、ベーンの第一の側面から第二の側面へ向かう方向（正転方向）に回転させる力がロータに加わると、円筒室内の粘性流体によって逆止弁がベーンの第二の側面に押し付けられて、流路が逆止弁で塞がれる。これにより、粘性流体の移動が、円筒室の仕切りとロータ本体の外周面との間の僅かなギャップを介してのみに制限されて、ベーンの第二の側面側の粘性流体に対する圧力が高まり、強い制動トルクが発生する。一方、ベーンの第二の側面から第一の側面へ向かう方向（逆転方向）に回転させる力がロータに加わると、ベーンの第一の側面側の粘性流体が、流路に流入して逆止弁を押し上げて流路を開放する。したがって、粘性流体の移動がベーンに形成された流路においても行われるため、ベーンの第一の側面側の粘性流体に対する圧力は高くならず、このため、弱い制動トルクが発生する。
【先行技術文献】
【特許文献】
【０００５】
【特許文献１】特開平７−３０１２７２号公報
【発明の概要】
【発明が解決しようとする課題】
【０００６】
しかし、特許文献１に記載のロータリダンパは、想定以上の回転速度で正転方向の力がロータに加わって、ベーンの第二の側面側の粘性流体に対する圧力が想定以上に高まると、破損する可能性がある。
【０００７】
本発明は上記事情に鑑みてなされたものであり、その目的は、想定以上の回転力が加わった場合でも、ロータリダンパが破損する可能性を低くすることのできる技術を提供することにある。
【課題を解決するための手段】
【０００８】
上記課題を解決するために、本発明は、充填された粘性流体の移動を制限することにより、加えられた回転力に対して制動トルクを発生させるロータリダンパにおいて、この回転力が所定値以上の場合に粘性流体の移動の制限を解除する手段を設けた。
【０００９】
例えば、本発明の第一の態様は、充填された粘性流体の移動を制限することにより、加えられた回転力に対して制動トルクを発生させるロータリダンパであって、
前記粘性流体が充填された円筒室を備えるケースと、
前記ケースに対して、前記円筒室の中心線周りに相対的に回転するように前記円筒室に収容されたロータと、
前記ロータの回転方向により開閉する逆止弁と、
前記回転力が所定値以上の場合に開放して前記粘性流体の移動の制限を解除する調圧弁と、
前記円筒室の中心線に沿って当該円筒室の側壁面に形成され、先端面が前記ロータの外周面と近接する凸状の仕切りと、
前記ロータの外周面に形成され、先端面が前記円筒室の側面と近接するベーンと、
前記仕切りおよび前記ベーンの少なくとも一方に形成され、前記仕切りおよび前記ベーンにより区切られる領域間を繋ぐ流路と、を有し、
前記流路には、
前記逆止弁をスライド自在に収容するための第一の流路区間と、前記調圧弁を収容するための第二の流路区間と、が形成されており、
前記第一の流路区間は、
前記第二の流路区間に対して、前記仕切りおよび前記ベーンにより区切られる領域のうち、前記ケースに対して前記ロータを正転方向に相対的に回転させた場合に当該領域内の前記粘性流体が加圧される領域側に隣接しており、
前記逆止弁は、
貫通孔が形成された板状部材であり、
前記調圧弁は、
前記逆止弁の貫通孔に対する栓部と、前記栓部を前記第一の流路区間側へ押圧する弾性体と、前記栓部の前記第一の流路区間内への移動を規制するストッパと、を有し、
前記ケースに対して前記ロータを前記正転方向に相対的に回転させた場合に、前記逆止弁が前記第一の流路区間の前記第二の流路区間側端部までスライドし、前記回転力が前記所定値未満ならば、前記弾性体により押圧された前記栓部が当該逆止弁の貫通孔に押し込まれ、前記流路を閉口して、前記仕切りおよび前記ベーンにより区切られる領域間における前記粘性流体の移動を制限し、前記回転力が前記所定値以上ならば、前記流路を流れようとする前記粘性流体の圧力により前記栓部が押し戻されて当該逆止弁の貫通孔から離れ、前記流路を開口して、前記仕切りおよび前記ベーンにより区切られる領域間における前記粘性流体の移動を許容し、
前記ケースに対して前記ロータを逆転方向に相対的に回転させた場合に、前記逆止弁が前記第一の流路区間の前記第二の流路区間側端部から離れる方向にスライドし、前記ストッパにより前記第一の流路区間内への移動が規制された前記栓部が当該逆止弁の貫通孔に押し込まれることなく、前記流路を開口する。
また、本発明の第二の態様は、充填された粘性流体の移動を制限することにより、加えられた回転力に対して制動トルクを発生させるロータリダンパであって、
前記粘性流体が充填された円筒室を備えるケースと、
前記ケースに対して、前記円筒室の中心線周りに相対的に回転するように前記円筒室に収容されたロータと、
前記ロータの回転方向により開閉する逆止弁と、
前記回転力が所定値以上の場合に開放して前記粘性流体の移動の制限を解除する調圧弁と、
前記円筒室の中心線に沿って当該円筒室の側壁面に形成され、先端面が前記ロータの外周面と近接する凸状の仕切りと、
前記ロータの外周面に形成され、先端面が前記円筒室の側面と近接するベーンと、
前記仕切りおよび前記ベーンの少なくとも一方に形成され、前記仕切りおよび前記ベーンにより区切られる領域間を繋ぐ流路と、を有し、
前記流路は、
路幅を狭めるための凸部が形成されており、
前記逆止弁は、
前記凸部により規制される範囲内で前記流路内をスライド自在に収容された、貫通孔を備える板状の弁部と、当該弁部に対して、前記仕切りおよび前記ベーンにより区切られる領域のうち、前記ケースに対して前記ロータを正転方向に相対的に回転させた場合に当該領域内の前記粘性流体が減圧される領域側に配された、前記調圧弁を収容するための収容部と、を有し、
前記調圧弁は、
前記弁部の貫通孔に対する栓部と、前記栓部を前記弁部の貫通孔へ押圧する弾性体と、を有し、
前記ケースに対して前記ロータを前記正転方向に相対的に回転させた場合に、前記逆止弁の弁部が前記流路の凸部と当接するまでスライドし、前記回転力が前記所定値未満ならば、前記弾性体により押圧された前記栓部が当該逆止弁の弁部の貫通孔に押し込まれ、前記流路を閉口して、前記仕切りおよび前記ベーンにより区切られる領域間における前記粘性流体の移動を制限し、前記回転力が前記所定値以上ならば、前記流路を流れようとする前記粘性流体の圧力により前記栓部が押し戻されて当該逆止弁の弁部の貫通孔から離れ、前記流路を開口して、前記仕切りおよび前記ベーンにより区切られる領域間における前記粘性流体の移動を許容し、
前記ケースに対して前記ロータを逆転方向に相対的に回転させた場合に、前記逆止弁の弁部が前記流路の凸部から離れる方向へスライドし、前記流路を開口する。
【００１０】
また、本発明の第三の態様は、充填された粘性流体の移動を制限することにより、加えられた回転力に対して制動トルクを発生させるロータリダンパであって、
前記粘性流体が充填された円筒室を備えるケースと、
前記ケースに対して、前記円筒室の中心線周りに相対的に回転するように前記円筒室に収容されたロータと、
前記ロータの回転方向により開閉する逆止弁と、
前記回転力が所定値以上の場合に開放して前記粘性流体の移動の制限を解除する調圧弁と、
前記円筒室の中心線に沿って当該円筒室の側壁面に形成され、先端面が前記ロータの外周面と近接する凸状の仕切りと、
前記ロータの外周面に形成され、先端面が前記円筒室の側面と近接するベーンと、
前記仕切りおよび前記ベーンの一方に形成され、前記仕切りおよび前記ベーンにより区切られる領域間を繋ぐ調圧弁用流路と、
前記仕切りおよび前記ベーンの他方に形成され、前記仕切りおよび前記ベーンにより区切られる領域間を繋ぐ逆止弁用流路と、を有し、
前記調圧弁用流路は、
第一の調圧弁用流路区間と、当該第一の調圧弁用流路区間に対して、前記仕切りおよび前記ベーンにより区切られる領域のうち、前記ケースに対して前記ロータを正転方向に相対的に回転させた場合に当該領域内の前記粘性流体が減圧される領域側に配された、当該第一の調圧弁用流路区間よりも幅広の第二の調圧弁用流路区間と、を有し、
前記逆止弁用流路は、
第一の逆止弁用流路区間と、当該第一の逆止弁用流路区間に対して、前記仕切りおよび前記ベーンにより区切られる領域のうち、前記ケースに対して前記ロータを前記正転方向に相対的に回転させた場合に当該領域内の前記粘性流体が加圧される領域側に配された、当該第一の逆止弁用流路区間よりも幅広の第二の逆止弁用流路区間と、を有し、
前記調圧弁は、
前記第一の調圧弁用流路区間に対する栓部と、当該栓部を前記第二の調圧弁用流路区間側から前記第一の調圧弁用流路区間へ押圧する弾性体と、を有し、
前記ケースに対して前記ロータを前記正転方向に相対的に回転させた場合に、前記回転力が前記所定値未満ならば、前記弾性体により押圧された前記栓部が前記第一の調圧弁用流路区間に押し込まれ、前記調圧弁用流路を閉口して、前記仕切りおよび前記ベーンにより区切られる領域間における前記粘性流体の移動を制限し、前記回転力が前記所定値以上ならば、前記調圧弁用流路を流れようとする前記粘性流体の圧力により前記栓部が押し戻されて前記第一の調圧弁用流路区間から離れ、前記調圧弁用流路を開口して、前記仕切りおよび前記ベーンにより区切られる領域間における前記粘性流体の移動を許容し、
前記逆止弁は、
前記第二の逆止弁用流路区間をスライド自在に配置されており、
前記ケースに対して前記ロータを前記正転方向に相対的に回転させた場合に、前記逆止弁が前記第一の逆止弁用流路区間側へスライドして前記第一の逆止弁用流路区間を塞ぎ、前記逆止弁用流路を閉口し、前記ロータを逆転方向に相対的に回転させた場合に、前記逆止弁が前記第一の逆止弁用流路区間から離れる方向へスライドし、前記逆止弁用流路を開口する。
また、本発明の第四の態様は、充填された粘性流体の移動を制限することにより、加えられた回転力に対して制動トルクを発生させるロータリダンパであって、
前記粘性流体が充填された円筒室を備えるケースと、
前記ケースに対して、前記円筒室の中心線周りに相対的に回転するように前記円筒室に収容されたロータと、
前記ロータの回転方向により開閉する逆止弁と、
前記回転力が所定値以上の場合に開放して前記粘性流体の移動の制限を解除する調圧弁と、
前記円筒室の中心線に沿って当該円筒室の側壁面に形成され、先端面が前記ロータの外周面と近接する凸状の仕切りと、
前記ロータの外周面に形成され、先端面が前記円筒室の側面と近接するベーンと、
前記仕切りおよび前記ベーンの少なくとも一方に形成され、前記仕切りおよび前記ベーンにより区切られる領域間を繋ぐ流路と、を有し、
前記流路は、
第一の流路区間と、当該第一の流路区間に対して、前記仕切りおよび前記ベーンにより区切られる領域のうち、前記ケースに対して前記ロータを正転方向に相対的に回転させた場合に当該領域内の前記粘性流体が減圧される領域側に配された、当該第一の流路区間よりも幅広の第二の流路区間と、を有し、
前記調圧弁は、
前記第一の流路区間に対する栓部と、当該栓部を前記第二の流路区間側から前記第一の流路区間へ押圧する弾性体と、を有し、
前記ケースに対して前記ロータを前記正転方向に相対的に回転させた場合に、前記回転力が前記所定値未満ならば、前記弾性体により押圧された前記栓部が前記第一の流路区間に押し込まれ、前記流路を閉口して、前記仕切りおよび前記ベーンにより区切られる領域間における前記粘性流体の移動を制限し、前記回転力が前記所定値以上ならば、前記流路を流れようとする前記粘性流体の圧力により前記栓部が押し戻されて前記第一の流路区間から離れ、前記流路を開口して、前記仕切りおよび前記ベーンにより区切られる領域間における前記粘性流体の移動を許容し、
前記逆止弁は、
前記ロータのベーンに取り付けられ、前記ケースに対して前記ロータを前記正転方向に相対的に回転させた場合に、前記ロータのベーンと前記円筒室との隙間を塞ぐように変形し、前記ケースに対して前記ロータを逆転方向に相対的に回転させた場合に、前記ロータのベーンと前記円筒室との隙間を維持するように変形するシール部材である。
【発明の効果】
【００１１】
本発明によれば、想定以上の回転力が加わった場合でも、円筒室内に充填された粘性流体に対する圧力を所定値以下に抑えることができるので、ロータリダンパが破損する可能性を低くできる。
【図面の簡単な説明】
【００１２】
【図１】図１（Ａ）および図１（Ｂ）は、本発明の第一実施の形態に係るロータリダンパ１の概略構成を示す外観図および部分断面図である。
【図２】図２は、本発明の第一実施の形態に係るロータリダンパ１の部品展開図である。
【図３】図３（Ａ）〜図３（Ｃ）は、ケース１１の上面図、正面図、および底面図であり、図３（Ｄ)は、図３（Ａ）に示すケース１１のＡ−Ａ断面図である。
【図４】図４（Ａ）〜図４（Ｃ）は、蓋１４の上面図、正面図、および底面図である。
【図５】図５（Ａ）〜図５（Ｄ）は、ロータ１２の上面図、正面図、側面図、および底面図である。
【図６】図６（Ａ）は、図５（Ｂ）に示すロータ１２のＢ−Ｂ断面図であり、図６（Ｂ）は、図６（Ａ）のＣ部分の拡大図であり、図６（Ｃ）は、流路１２８ａ、１２８ｂの製造方法を説明するための図である。
【図７】図７（Ａ）および図７（Ｂ）は、ロータリダンパ１の動作原理を説明するための図である。
【図８】図８は、ロータリダンパ１の動作原理を説明するための図である。
【図９】図９（Ａ）および図９（Ｂ）は、本発明の第二実施の形態に係るロータリダンパ２の概略構成を示す外観図および部分断面図である。
【図１０】図１０（Ｂ）は、ロータリダンパ２の部品展開図である。
【図１１】図１１（Ａ）〜図１１（Ｃ）は、ケース２１の上面図、正面図、および底面図であり、図１１（Ｄ）は、図１１（Ａ）に示すケース２１のＤ−Ｄ断面図である。
【図１２】図１２（Ａ）〜図１２（Ｃ）は、調圧機能付き逆流防止機構２２ａ、２２ｂの上面図、正面図、および底面図であり、図１２（Ｄ）は、図１２（Ｃ）に示す調圧機能付き逆流防止機構２２ａ、２２ｂのＥ−Ｅ断面図である。
【図１３】図１３（Ａ）および図１３（Ｂ）は、ロータリダンパ２の動作原理を説明するための図である。
【図１４】図１４は、ロータリダンパ２の動作原理を説明するための図である。
【図１５】図１５（Ａ）および図１５（Ｂ）は、本発明の第三実施の形態に係るロータリダンパ３の概略構成を示す外観図および部分断面図である。
【図１６】図１６は、ロータリダンパ３の部品展開図である。
【図１７】図１７（Ａ）〜図１７（Ｃ）は、ケース３１の上面図、正面図、および底面図であり、図１７（Ｄ）は、図１７（Ａ）に示すケース３１のＦ−Ｆ断面図である。
【図１８】図１８（Ａ）は、図１７（Ｂ）に示すケース３１のＧ−Ｇ断面図であり、図１８（Ｂ）は、図１８（Ａ）のＨ部分の拡大図である。
【図１９】図１９（Ａ）〜図１９（Ｄ）は、ロータ３２の上面図、正面図、側面図、および底面図である。
【図２０】図２０（Ａ）は、図１９（Ｂ）に示すロータ３２のＩ−Ｉ断面図であり、図２０（Ｂ）は、図２０（Ａ）のJ部分の拡大図であり、図２０（Ｃ）は、流路３２８ａ、３２８ｂの製造方法を説明するための図である。
【図２１】図２１は、ロータリダンパ３の動作原理を説明するための図である。
【図２２】図２２は、ロータリダンパ３の動作原理を説明するための図である。
【図２３】図２３は、ロータリダンパ３の動作原理を説明するための図である。
【図２４】図２４（Ａ）および図２４（Ｂ）は、リップシール３２７に逆止弁としての機能を付与した場合の動作原理を説明するための図である。
【発明を実施するための形態】
【００１３】
以下、図面を参照して本発明の実施の形態を説明する。
【００１４】
＜第一実施の形態＞
図１（Ａ）および図１（Ｂ）は、本発明の第一実施の形態に係るロータリダンパ１の概略構成を示す外観図および部分断面図であり、図２は、このロータリダンパ１の部品展開図である。
【００１５】
図示するように、本実施の形態に係るロータリダンパ１は、ケース１１と、ケース１１に対して相対的に回転可能にケース１１内に収容されたロータ（回転体）１２と、ケース１１に充填された粘性流体（オイル、シリコン等）１３と、ロータ１２を粘性流体１３とともにケース１１内に封じ込める蓋１４と、ケース１１に蓋１４を固定するための複数のネジ１８と、を有する。また、図１および図２には図示していないが、このロータリダンパ１は、さらに、逆止弁１５と、調圧弁１６と、を有する。
【００１６】
図３（Ａ）〜（Ｃ）は、ケース１１の上面図、正面図、および底面図であり、図３（Ｄ）は、図３（Ａ）に示すケース１１のＡ−Ａ断面図である。
【００１７】
図示するように、ケース１１は、ケース本体１１２と、ケース本体１１２の縁部外周に形成されたフランジ部１１８と、を備えている。
【００１８】
ケース本体１１２には円筒室（底付き円筒状の空間）１１１が形成されている。ロータ１２は、円筒形状のロータ本体１３１とロータ本体１３１の外周面１２２に形成されたベーン１２４ａ、１２４ｂとを備え、この円筒室１１１の中心線１１０周りに回転するように（円筒室１１１の中心線１１０がロータ１２の回転軸１２０となるように）、この円筒室１１１に収容される。ケース本体１１２の内周面１１３（円筒室１１１の側壁面１１３）には、ロータ本体１３１の外周面１２２と円筒室１１１の側壁面１１３との間の環状の空間を径方向に仕切るように、ロータ本体１３１の外周面１２２に向かって突出した一対の凸状の仕切り１１５ａ、１１５ｂ（先端面１１４がロータ１２の外周面１２２と近接する一対の凸状の仕切り１１５ａ、１１５ｂ）が、円筒室１１１の中心線１１０に沿って形成されている。粘性流体１３は、これらの仕切り１１５ａ、１１５ｂによって仕切られた、ロータ本体１３１の外周面１２２と円筒室１１１の側壁面１１３との間の領域（図７における１１１ａ〜１１１ｄ）に充填される。また、円筒室１１１の底面１１６には、ロータ本体１３１の一端部（下端部）１２９ａを挿入するための開口部１１７が形成されている。
【００１９】
フランジ部１１８には複数のネジ穴１１８ａが形成され、フランジ部１１８に載置された蓋１４の貫通孔１４３ａに挿入されたネジ１８が、これらのネジ穴１１８ａに締結される。
【００２０】
図４（Ａ）〜（Ｃ）は、蓋１４の上面図、正面図、および底面図である。
【００２１】
図示するように、蓋１４には、円筒室１１１の底面１１６の開口部１１７に対向する位置に、ロータ本体１３１の他端部（上端部１２９ｂ）を挿入するための開口部１４１が形成されている。また、ケース１１のフランジ部１１８のネジ穴１１８ａに対応する位置には、それらのネジ穴１１８ａに締結されるネジ１８を挿入するための貫通孔１４３ａが形成されている。なお、円筒室１１１から粘性流体１３が外部に漏れないように、Ｏリング等のシール材を蓋１４とケース１１との間に介在させて密封性を高めるようにしてもよい。
【００２２】
図５（Ａ）〜（Ｄ）は、ロータ１２の上面図、正面図、側面図、および底面図である。
【００２３】
図示するように、ロータ本体１３１には、外部からの回転力をロータ１２に伝達するシャフト（不図示）を挿入するための貫通孔１２１が、回転軸１２０を中心にして形成されている。そして、ロータ本体１３１（貫通孔１２１）の下端部１２９ａは、ケース１１の円筒室１１１の底面１１６に形成された開口部１１７に摺動可能に挿入され、ロータ本体１３１（貫通孔１２１）の上端部１２９ｂは、蓋１４の開口部１４１に摺動可能に挿入される。なお、円筒室１１１から粘性流体１３が外部に漏れないように、Ｏリング等のシール材を、ロータ本体１３１の端部１２９ａ、１２９ｂと開口部１１７、１４１との間に介在させて密封性を高めるようにしてもよい。
【００２４】
ロータ本体１３１の外周面１２２には、先端面（円筒室１１１の側壁面１１３に対向する面）１２３が円筒室１１１の側壁面１１３と近接するように円筒室１１１の側壁面１１３に向かって突出した一対のベーン（回転翼）１２４ａ、１２４ｂが、円筒室１１１の側壁面１１３に沿って形成されている。ベーン１２４ａ、１２４ｂには、ベーン１２４ａ、１２４ｂの先端面１２３と円筒室１１１の側壁面１１３との間、ベーン１２４ａ、１２４ｂの下面（円筒室１１１の底面１１６と対向する面）１２５と円筒室１１１の底面１１６との間、および、ベーン１２４ａ、１２４ｂの上面（蓋１４側の面）１２６と蓋１４の下面（ケース１１側の面）１４２との間に形成されるギャップを塞ぐためのリップシール１２７（図２参照）が取り付けられている。
【００２５】
図６（Ａ）は、図５（Ｂ）に示すロータ１２のＢ−Ｂ断面図であり、図６（Ｂ）は、図５（Ａ）のＣ部分の拡大図である。
【００２６】
図示するように、一方のベーン１２４ａには、このベーン１２４ａおよび円筒室１１１の仕切り１１５ａにより区切られる円筒室１１１内の領域１１１ａ（図７参照）と、このベーン１２４ａおよび円筒室１１１の仕切り１１５ｂにより区切られる円筒室１１１内の領域１１１ｂ（図７参照）とを繋ぐための流路（オリフィス）１２８ａが、このベーン１２４ａの一方の側面１３２ａと他方の側面１３３ａとを貫通するように形成されている。同様に、他方のベーン１２４ｂには、このベーン１２４ｂおよび円筒室１１１の仕切り１１５ａにより区切られる円筒室１１１内の領域１１１ｃ（図７参照）と、ベーン１２４ｂおよび円筒室１１１の仕切り１１５ｂにより区切られる円筒室１１１内の領域１１１ｄ（図７参照）とを繋ぐための流路１２８ｂが、このベーン１２４ｂの一方の側面１３２ｂと他方の側面１３３ｂとを貫通するように形成されている。
【００２７】
流路１２８ａ、１２８ｂの各々には、逆止弁１５および調圧弁１６が対となって内設されている。
【００２８】
流路１２８ａ、１２８ｂ内には、ベーン１２４ａ、１２４ｂの一方の側面１３２ａ、１３２ｂに形成された流路口１２８４、およびベーン１２４ａ、１２４ｂの他方の側面１３３ａ、１３３ｂに形成された流路口１２８よりも、径方向流路断面積の大きい隣接する３つの区間１２８０〜１２８２が、流路口１２８４、１２８５間に、軸心を流路口１２８４、１２８５の軸心からずらすようにして形成されている。具体的には、第一の流路区間１２８０、第一の流路区間１２８０よりも径方向流路断面積の大きな第二の流路区間１２８１、第二の流路区間１２８１よりも径方向流路断面積の小さな第三の流路区間１２８２が形成されている。
【００２９】
第二の流路区間１２８１には、逆止弁１５が粘性流体１３の流れ方向にスライド自在に収容され、第三の流路区間１２８２には、調圧弁１６が収容される。第二の流路区間１２８１は、第三の流路区間１２８２に対して、ロータ１２を正転方向（本実施の形態ではα方向）に回転させた場合に、充填されている粘性流体１３が加圧される領域１１１ａ、１１１ｄ（図７参照）側に隣接するように形成されている。
【００３０】
逆止弁１５は、第二の流路区間１２８１を開閉するように第二の流路区間１２８１内に配置された板状部材であり、ロータ１２の回転方向に応じた方向に第二の流路区間１２８１内をスライドする。また、逆止弁１５には、粘性流体１３が通過する貫通孔１５１が形成されており、この貫通孔１５１が、調圧弁１６によって開閉される。
【００３１】
調圧弁１６は、逆止弁１５の貫通孔１５１を通過する粘性流体１３の流量を調整するニードル１６０と、第二の流路区間１２８１側へニードル１６０を付勢するバネ等の弾性体１６２と、を有する。ニードル１６０は、逆止弁１５の貫通孔１５１を塞ぐためのテーパ付きの栓部１６１と、栓部１６１の逆止弁１５側先端部に設けられた棒状のストッパ１６３と、を有する。ニードル１６０は、ストッパ１６３が第二の流路区間１２８１側に突出するように、第三の流路区間１２８２側から逆止弁１５の貫通孔１５１に挿入されている。逆止弁１５が第三の流路区間１２８２側に移動すると、逆止弁１５の貫通孔１５１に栓部１６１が挿入される。これにより、逆止弁１５の貫通孔１５１が栓部１６１により塞がれる。また、弾性体１６２の付勢によりニードル１６０が第一、第二の流路区間１２８０、１２８１側へ移動すると、ストッパ１６３は、逆止弁１５の貫通孔１５１を介して流路１２８ａ、１２８ｂの内壁１２８３に当接する。これにより、第一、第二の流路区間１２８０、１２８１側への栓部１６１の移動を規制する。
【００３２】
このような流路１２８ａ、１２８ｂは、例えば図６（Ｃ）に示すように、流路１２８ａ、１２８ｂの一部（一方の流路口１２８４、および第一、第二の流路区間１２８０、１２８１）をなす貫通孔１２８８をベーン１２４ａ、１２４ｂに予め形成しておき、この貫通孔１２８８に、逆止弁１５、調圧弁１６を順番に挿入し、それから、流路１２８ａ、１２８ｂの一部（他方の流路口１２８５、第三の流路区間１２８２）が形成されたブロック１２８９を嵌入することによって形成することができる。
【００３３】
なお、ニードル１６０の円滑な移動を実現するために、逆止弁１５の貫通孔１５１の径方向に対するストッパ１６３のガタツキを防止するガイド（例えば、貫通孔１５１の第一の流路区間１２８０側端面部に形成された３点以上の突起部）を設けてもよい。
【００３４】
つぎに、ロータリダンパ１の動作原理を説明する。図７（Ａ）、図７（Ｂ）、および図８は、ロータリダンパ１の動作原理を説明するための図である。
【００３５】
図７（Ａ）および図７（Ｂ）に示すように、ケース１１に対してロータ１２が正転方向（本実施の形態ではα方向）に相対的に回転した場合、逆止弁１５が、第二の流路区間１２８１と第三の流路区間１２８２との境界１２８６まで第二の流路区間１２８１内をスライドする。
【００３６】
ここで、ロータ１２またはケース１１に加えられた回転力（α方向の回転速度）が、調圧弁１６の弾性体１６２の弾性係数により定まる所定値未満ならば、図７（Ａ）に示すように、弾性体１６２により押圧されたニードル１６０の栓部１６１が逆止弁１５の貫通孔１５１に押し込まれたままとなり、流路１２８ａ、１２８ｂが閉口する。このため、円筒室１１１内において、仕切り１１５ａ、１１５ｂおよびロータ１２のベーン１２４ａ、１２４ｂにより区切られる領域１１１ａ〜領域１１１ｄ間の粘性流体１３の移動は、仕切り１１５ａ、１１５ｂの先端面１１４とロータ１２の外周面１２２との間に形成されるギャップ等を介してのみに制限される。これにより、領域１１１ａ、１１１ｄ内の粘性流体１３の圧力が高まって、強い制動トルクが発生する。
【００３７】
ロータ１２またはケース１１に加えられた回転力が上述の所定値以上ならば、図７（Ｂ）に示すように、流路１２８ａ、１２８ｂを流れようとする粘性流体１３の圧力によりニードル１６０が第三の流路区間１２８２側に押し戻されて、逆止弁１５の貫通孔１５１からニードル１６０の栓部１６１が離れ、流路１２８ａ、１２８ｂが開口する。このため、円筒室１１１において、切り１１５ａ、１１５ｂおよびロータ１２のベーン１２４ａ、１２４ｂにより区切られる領域１１１ａ〜領域１１１ｄ間の移動の制限が解除され、粘性流体１３が、流路１２８ａ、１２８ｂを介して、領域１１１ａ、１１１ｄから領域１１１ｂ、１１１ｃへ移動する。これにより、強い制動トルクを発生させつつも、領域１１１ａ、１１１ｄ内の粘性流体１３の圧力が所定値以上に高くなるのを防止できる。
【００３８】
一方、図８に示すように、ケース１１に対してロータ１２が逆転方向（本実施の形態ではβ方向）に相対的に回転した場合、逆止弁１５が、第一の流路区間１２８０と第二の流路区間１２８１との境界１２８７まで第二の流路区間１２８１内をスライドする。
【００３９】
ここで、ニードル１６０は、ストッパ１６３により第二の流路区間１２８１側への移動が規制されるので、ニードル１６０の栓部１６１が逆止弁１５の貫通孔１５１に押し込まれることなく、流路１２８ａ、１２８ｂが開口する。このため、粘性流体１３は、流路１２８ａ、１２８ｂを介して、領域１１１ｂ、１１１ｃから領域１１１ａ、１１１ｄへ移動する。これにより、領域１１１ｂ、１１１ｃ内の粘性流体１３の圧力が高くならずに、弱い制動トルクが発生する。
【００４０】
以上、本発明の第一実施の形態を説明した。
【００４１】
本実施の形態では、円筒室１１１内に充填された粘性流体１３の流路１２８ａ、１２８ｂ経由での移動を制限することにより、ロータ１２またはケース１１に加えられた正転方向の回転力に対して強い制動トルクを発生させるロータリダンパ１において、この回転力が所定値以上の場合に、高圧側から低圧側への粘性流体１３の移動の制限を解除する調圧弁１６を設けている。したがって、本実施の形態によれば、ロータ１２またはケース１１に想定以上の回転力が加わった場合でも、円筒室１１１内に充填された粘性流体１３に対する圧力を所定値以下に抑えることができるので、ロータリダンパ１が破損する可能性を低くすることができる。
【００４２】
また、本実施の形態では、ロータ１２の一方のベーン１２４ａに、円筒室１１１の仕切り１１５ａ、１１５ｂおよびこのベーン１２４ａにより区切られる領域１１１ａ、１１１ｂ間を繋ぐ流路１２８ａを設けている。また、ロータ１２の他方のベーン１２４ｂに、円筒室１１１の仕切り１１５ａ、１１５ｂおよびこのベーン１２４ｂにより区切られる領域１１１ｃ、１１１ｄ間を繋ぐ流路１２８ｂを設けている。そして、逆止弁１５および調圧弁１６を上述の構成とすることにより、一本の流路１２８ａ、１２８ｂのそれぞれに、逆止弁１５および調圧弁１６を対にして内設している。このように、本実施の形態によれば、逆止弁１５および調圧弁１６を、個別の流路に配置するのではなく、同じ流路１２８ａ、１２８ｂに配置するため、ロータリダンパ１の小型化が可能となる。
【００４３】
なお、本実施の形態では、ロータ１２のベーン１２４ａ、１２４ｂに流路１２８ａ、１２８ｂを形成し、これらの流路１２８ａ、１２８ｂに逆止弁１５および調圧弁１６を対にして内設したが、本発明はこれに限定されない。例えば、ケース１１の円筒室１１１の仕切り１１５ａ、１１５ｂに流路１２８ａ、１２８ｂを形成し、これらの流路１２８ａ、１２８ｂに逆止弁１５および調圧弁１６を対にして内設してもよい。
【００４４】
＜第二実施の形態＞
図９（Ａ）および図９（Ｂ）は、本発明の第二実施の形態に係るロータリダンパ２の概略構成を示す外観図および部分断面図であり、図１０は、ロータリダンパ２の部品展開図である。
【００４５】
図示するように、本実施の形態に係るロータリダンパ２は、ケース２１と、ケース２１に対して相対的に回転可能にケース２１内に収容されたロータ（回転体）１２ａと、ケース２１に充填された粘性流体１３と、ロータ１２ａを粘性流体１３とともにケース２１内に封じ込めるための蓋１４と、一対の調圧機能付き逆流防止機構２２ａ、２２ｂと、ケース２１に蓋１４を固定するための複数のネジ１８と、を有する。
【００４６】
ここで、粘性流体１３、ネジ１８および蓋１４は、第一実施の形態に係るロータリダンパ１で用いたものと同様なものである。また、ロータ１２ａの構成は、ベーン１２４ａ、１２４ｂに流路１２８ａ、１２８ｂが形成されていない点を除き、第一実施の形態に係るロータリダンパ１で用いたロータ１２と同様である。したがって、以下においては、これらについての説明を省略する。
【００４７】
図１１（Ａ）〜（Ｃ）は、ケース２１の上面図、正面図、および底面図であり、図１１（Ｄ）は、図１１（Ａ）に示すケース２１のＤ−Ｄ断面図である。
【００４８】
図示するように、ケース２１は、ケース本体２１２と、ケース本体２１２の縁部外周に形成されたフランジ部２１８と、を備えている。
【００４９】
ケース本体２１２には円筒室（底付き円筒状の空間）２１１が形成されている。ロータ１２ａは、円筒形状のロータ本体１３１とロータ本体１３１の外周面１２２に形成されたベーン１２４ａ、１２４ｂとを備え、この円筒室２１１の中心線２１０周りに回転するように（円筒室２１１の中心線２１０がロータ１２ａの回転軸２２０となるように）、この円筒室２１１に収容される。円筒室２１１の底面２１６には、ロータ１２ａの一端部（下端部）１２９ａを挿入するための開口部２１７が形成されている。
【００５０】
ケース本体２１２の内周面２１３（円筒室２１１の側壁面２１３）には、ロータ本体１３１の外周面１２２と円筒室２１１の側壁面２１３との間の環状の空間を径方向に仕切るように、ロータ本体１３１の外周面１２２に向かって突出した一対の凸状の仕切り２１５ａ、２１５ｂ（先端面１１４がロータ１２の外周面１２２と近接する一対の凸状の仕切り２１５ａ、２１５ｂ）が、円筒室２１１の中心線２１０に沿って形成されている。粘性流体１３は、これらの仕切り２１５ａ、２１５ｂによって仕切られた、ロータ本体１３１の外周面１２２と円筒室２１１の側壁面２１３との間の領域（図１３における２１１ａ〜２１１ｄ）に充填される。
【００５１】
一方の仕切り２１５ａには、仕切り２１５ａおよびロータ１２ａのベーン１２４ａにより形成される円筒室２１１内の領域２１１ａ（図１３参照）と、仕切り２１５ａおよびロータ１２ａのベーン１２４ｂにより形成される円筒室２１１内の領域２１１ｃ（図１３参照）とを繋ぐ溝状の流路２２８ａが形成され、この流路２２８ａに調圧機能付き逆流防止機構２２ａがスライド自在に収容される。同様に、他方の仕切り２１５ｂには、仕切り２１５ｂおよびロータ１２ａのベーン１２４ｂにより形成される円筒室２１１内の領域２１１ｄ（図１３参照）と、仕切り２１５ｂおよびロータ１２ａのベーン１２４ａにより形成される円筒室２１１内の領域２１１ｂ（図１３参照）とを繋ぐ流路２２８ｂが形成され、この流路２２８ｂに調圧機能付き逆流防止機構２２ｂがスライド自在に収容される。
【００５２】
また、流路２２８ａ、２２８ｂの各々には、一部の径方向の流路幅を狭めて調圧機能付き逆流防止機構２２ａ、２２ｂのスライド範囲を規制するための凸部２１９が形成されている。
【００５３】
フランジ部２１８には、複数のネジ穴２１８ａが形成されており、フランジ部１１８に載置された蓋１４の貫通孔１４３ａに挿入されたネジ１８が、これらのネジ穴２１８ａに締結される。
【００５４】
図１２（Ａ）〜（Ｃ）は、調圧機能付き逆流防止機構２２ａ、２２ｂの上面図、正面図、および底面図であり、図１２（Ｄ）は、図１２（Ｃ）に示す調圧機能付き逆流防止機構２２ａ、２２ｂのＥ−Ｅ断面図である。
【００５５】
図示するように、調圧機能付き逆流防止機構２２ａ、２２ｂは、逆止弁２５と、調圧弁２６と、を有する。
【００５６】
逆止弁２５は、周方向にスライドして流路２２８ａ、２２８ｂの一方の流路口（ロータ１２ａを正転方向（本実施の形態ではα方向、図１３参照）に回転させた場合に、充填されている粘性流体１３が加圧される領域２１１ａ、２１１ｄ側の流路口２２９ａ、２２９ｂ、図１３参照）を開閉する板状の弁部２５１と、流路２２８ａ、２２８ｂ内の凸部２１９と連携して弁部２５１のスライド範囲を規制するストッパ２５２と、調圧弁２６を保持する保持部２５４と、弁部２５１、ストッパ２５２および保持部２５４を連結する連結部２５５と、を有する。
【００５７】
ここで、弁部２５１には、調圧弁２６により開閉する貫通孔２５３が形成されている。また、保持部２５４およびストッパ２５２は、弁部２５１に対して、ロータ１２ａを正転方向（本実施の形態ではα方向、図１３参照）に回転させた場合に、充填されている粘性流体１３が減圧される領域２１１ｂ、２１１ｃ（図１３参照）側に位置するように形成されている。また、連結部２５５は、ロータ１２ａが逆転方向（本実施の形態ではβ方向、図１４参照）に回転し、ストッパ２５２が仕切り２１５ａ、２１５ｂ内の凸部２１９に当接した場合に、弁部２５１が流路２２８ａ、２２８ｂの流路口２２９ａ、２２９ｂから所定の間隔だけ離れる程度の長さを有する。
【００５８】
調圧弁２６は、逆止弁２５の弁部２５１の貫通孔２５３を通過する粘性流体１３の流量を調整するニードル２６４と、一端が逆止弁２５の保持部２５４に固定され、他端でニードル２６４を領域２１１ｂ、２１１ｃ側へ付勢するバネ等の弾性体２６２と、を有する。ニードル２６４は、逆止弁２５の弁部２５１の貫通孔２５３を塞ぐためのテーパ付きの栓部２６１と、栓部２６１の弁部２５１側先端部に設けられた棒状のガイド２６３と、を有する。ガイド２６３は、領域２１１ｂ、２１１ｃ側から弁部２５１の貫通孔２５３に挿入されており、逆止弁２５の弁部２５１の貫通孔２５３に栓部２６１を誘導する。弾性体２６２の付勢によりニードル２６４が逆止弁２５の弁部２５１側に移動すると、栓部２６１が、ガイド２６３に誘導されて、弁部２５１の貫通孔２５３に挿入される。これにより、逆止弁２５の弁部２５１の貫通孔２５３が栓部２６１により塞がれる。
【００５９】
なお、ニードル２６４の円滑な移動を実現するために、弁部２５１の貫通孔２５３の径方向に対するガイド２６３のガタツキを防止するガイド（例えば、貫通孔２５３の外側端面部に形成された３点以上の突起部）を設けてもよい。
【００６０】
つぎに、ロータリダンパ２の動作原理を説明する。図１３（Ａ）、図１３（Ｂ）および図１４は、ロータリダンパ２の動作原理を説明するための図である。
【００６１】
図１３（Ａ）および図１３（Ｂ）に示すように、ケース２１に対してロータ１２ａが正転方向（本実施の形態ではα方向）に相対的に回転した場合、調圧機能付き逆流防止機構２２ａ、２２ｂは、逆止弁２５の弁部２５１が流路２２８ａ、２２８ｂの流路口２２９ａ、２２９ｂを塞ぐまで流路２２８ａ、２２８ｂ内をスライドする。
【００６２】
ここで、ロータ１２ａまたはケース２１に加えられた回転力（α方向の回転速度）が、調圧弁２６の弾性体２６２の弾性係数により定まる所定値未満ならば、図１３（Ａ）に示すように、弾性体２６２により押圧されたニードル２６４の栓部２６１が弁部２５１の貫通孔２５３に押し込まれたままとなり、流路２２８ａ、２２８ｂが閉口する。このため、円筒室２１１内において、仕切り２１５ａ、２１５ｂおよびロータ１２ａのベーン１２４ａ、１２４ｂにより区切られる領域２１１ａ〜領域２１１ｄ間の粘性流体１３の移動は、仕切り２１５ａ、２１５ｂの先端面２１４とロータ本体１３１の外周面１２２との間に形成されるギャップ等を介してのみに制限される。これにより、領域２１１ａ、２１１ｄ内の粘性流体１３の圧力が高まって、強い制動トルクが発生する。
【００６３】
ロータ１２ａまたはケース２１に加えられた回転力が上述の所定値以上ならば、図１３（Ｂ）に示すように、流路２２８ａ、２２８ｂを流れようとする粘性流体１３の圧力によりニードル２６４が押し戻されて、弁部２５１の貫通孔２５３からニードル２６４の栓部２６１が離れ、流路２２８ａ、２２８ｂが開口する。このため、円筒室２１１内において、仕切り２１５ａ、２１５ｂおよびロータ１２ａのベーン１２４ａ、１２４ｂにより区切られる領域２１１ａ〜領域２１１ｄ間における粘性流体１３の移動の制限が解除され、粘性流体１３が、流路２２８ａ、２２８ｂおよび弁部２５１の貫通孔２５３を介して、領域２１１ａ、２１１ｄから領域２１１ｃ、２１１ｂへ移動する。これにより、強い制動トルクを発生させつつも、領域２１１ａ、２１１ｄ内の粘性流体１３の圧力が所定値以上に高くなるのを防止できる。
【００６４】
一方、図１４に示すように、ケース２１に対してロータ１２ａが逆転方向（本実施の形態ではβ方向）に相対的に回転した場合、調圧機能付き逆流防止機構２２ａ、２２ｂは、逆止弁２５のストッパ２５２が流路２２８ａ、２２８ｂ内の凸部２１９に当接するまで流路２２８ａ、２２８ｂ内をスライドする。これにより、弁部２５１は、流路２２８ａ、２２８ｂの流路口２２９ａ、２２９ｂから離れた位置まで移動し、流路２２８ａ、２２８ｂが開口する。このため、粘性流体１３は、流路２２８ａ、２２８ｂを介して、領域２１１ｂ、２１１ｃから領域２１１ａ、２１１ｄへ移動する。これにより、領域２１１ｂ、２１１ｃ内の粘性流体１３の圧力が高くならずに、弱い制動トルクが発生する。
【００６５】
以上、本発明の第二実施の形態を説明した。
【００６６】
本実施の形態でも、上記第一実施の形態と同様、ロータ１２ａまたはケース２１に想定以上の回転力が加わった場合に、円筒室２１１内に充填された粘性流体１３に対する圧力を所定値以下に抑えることができるので、ロータリダンパ２が破損する可能性を低くすることができる。また、調圧弁２６を逆止弁２５に組み込んで調圧機能付き逆流防止機構２２ａ、２２ｂとすることより、逆止弁２５および調圧弁２６を、同じ流路２２８ａ、２２８ｂ内に配置できるので、ロータリダンパ２の小型化が可能となる。
【００６７】
なお、本実施の形態では、円筒室２１１の仕切り２１５ａ、２１５ｂに流路２２８ａ、２２８ｂを形成し、これらの流路２２８ａ、２２８ｂに調圧機能付き逆流防止機構２２ａ、２２ｂを内設したが、本発明はこれに限定されない。例えば、ロータ１２ａのベーン１２４ａ、１２４ｂに流路２２８ａ、２２８ｂを形成し、これらの流路２２８ａ、２２８ｂに調圧機能付き逆流防止機構２２ａ、２２ｂを内設してもよい。
【００６８】
＜第三実施の形態＞
図１５（Ａ）および図１５（Ｂ）は、本発明の第三実施の形態に係るロータリダンパ３の概略構成を示す外観図および部分断面図であり、図１６は、ロータリダンパ３の部品展開図である。
【００６９】
図示するように、本実施の形態に係るロータリダンパ３は、ケース３１と、ケース３１に対して相対的に回転可能にケース３１内に収容されたロータ（回転体）３２と、ケース内３１に充填された粘性流体１３と、ロータ３２を粘性流体１３とともにケース３１内に封じ込めるための蓋１４と、ケース１１に蓋１４を固定するための複数のネジ１８と、を有する。また、図１５には図示していないが、ロータリダンパ３は、さらに、逆止弁３５と、調圧弁３６と、を有する。
【００７０】
なお、粘性流体１３、ネジ１８および蓋１４は、第一実施の形態に係るロータリダンパ１で用いたものと同様なものである。したがって、以下においては、これらについての説明を省略する。
【００７１】
図１７（Ａ）〜（Ｃ）は、ケース３１の上面図、正面図、および底面図であり、図１７（Ｄ）は、図１７（Ａ）に示すケース３１のＦ−Ｆ断面図である。
【００７２】
図示するように、ケース３１は、ケース本体３１２と、ケース本体３１２の縁部外周に形成されたフランジ部３１８と、を備えている。
【００７３】
ケース本体３１２には円筒室（底付き円筒状の空間）３１１が形成されている。ロータ３２は、円筒形状のロータ本体３３１とロータ本体３３１の外周面３２２に形成されたベーン３２４ａ、３２４ｂとを備え、この円筒室３１１の中心線３１０周りに回転するように（円筒室３１１の中心線３１０がロータ３２の回転軸３２０となるように）、この円筒室３１１に収容される。ケース本体３１２の内周面３１３（円筒室３１１の側壁面３１３）には、ロータ本体３３１の外周面３２２と円筒室３１１の側壁面３１３との間の環状の空間を径方向に仕切るように、ロータ本体３３１の外周面３２２に向かって突出した一対の凸状の仕切り３１５ａ、３１５ｂ（先端面３１４がロータ３２の側面３２２と近接する一対の凸状の仕切り３１５ａ、３１５ｂ）が、円筒室３１１の中心線３１０に沿って形成されている。粘性流体１３は、これらの仕切り３１５ａ、３１５ｂによって仕切られた、ロータ本体３３１の外周面３２２と円筒室３１１の側壁面３１３との間の領域（図２２における３１１ａ〜３１１ｄ）に充填される。また、円筒室３１１の底面３１６には、ロータ本体３３１の一端部（下端部）３２９ａを挿入するための開口部３１７が形成されている。
【００７４】
また、一方の仕切り３１５ａには、この仕切り３１５ａおよびロータ３２のベーン３２４ａにより形成される円筒室３１１内の領域３１１ａ（図２２参照）と、この仕切り３１５ａおよびロータ３２のベーン３２４ｂにより形成される円筒室３１１内の領域３１１ｃ（図２２参照）とを繋ぐ逆止弁用流路（オリフィス）３３８ａが形成されている。同様に、他方の仕切り３１５ｂには、この仕切り３１５ｂおよびロータ３２のベーン３２４ａにより形成される円筒室３１１内の領域３１１ｂ（図２２参照）と、この仕切り３１５ｂおよびロータ３２のベーン３２４ｂにより形成される円筒室３１１内の領域３１１ｄ（図２２参照）とを繋ぐ逆止弁用流路（オリフィス）３３８ｂが形成されている。
【００７５】
図１８（Ａ）は、図１７（Ｂ）に示すケース３１のＧ−Ｇ断面図であり、図１８（Ｂ）は、図１８（Ａ）のＨ部分の拡大図である。
【００７６】
図示するように、逆止弁用流路３３８ａ、３３８ｂの各々には、球状の逆止弁３５が内設されている。
【００７７】
逆止弁用流路３３８ａ、３３８ｂには、第一の逆止弁用流路区間３３８１と、第一の逆止弁用流路区間３３８１よりも径方向流路断面積の大きな第二の逆止弁用流路区間３３８２と、が形成されている。第二の逆止弁用流路区間３３８２は、逆止弁３５の直径よりも大きな直径を有しており、第一の逆止弁用流路区間３３８１を開閉する逆止弁３５をスライド自在に収容している。また、第二の逆止弁用流路区間３３８２には、逆止弁３５のスライド範囲を規制するためのストッパ３３８３が形成されている。第一の逆止弁用流路区間３３８１は、第二の逆止弁用流路区間３３８２に対して、ロータ３２を正転方向（本実施の形態ではα方向、図２２参照）に回転させた場合に、充填されている粘性流体１３が減圧される領域３１１ｂ、３１１ｃ側に隣接するように形成されている。
【００７８】
図１９（Ａ）〜（Ｄ）は、ロータ３２の上面図、正面図、側面図および底面図である。
【００７９】
図示するように、ロータ本体３３１には、外部からの回転力をロータ３２に伝達するシャフト（不図示）を挿入するための貫通孔３２１が回転軸３２０を中心にして形成されている。そして、ロータ本体３３１（貫通孔３２１）の下端部３２９ａは、ケース３１の円筒室３１１の底面３１６に形成された開口部３１７に摺動可能に挿入され、ロータ本体３３１（貫通孔３２１）の上端部３２９ｂは、蓋１４の開口部１４１に摺動可能に挿入される。なお、円筒室３１１から粘性流体１３が外部に漏れないように、Ｏリング等のシール材を、ロータ本体３３１の端部３２９ａ、３２９ｂと開口部３１７、１４１との間に介在させて密封性を高めるようにしてもよい。
【００８０】
また、ロータ本体３３１の外周面３２２には、先端面（円筒室３１１の側壁面３１３に対向する面）３２３が円筒室３１１の側壁面３１３と近接するように円筒室３１１の側壁面３１３に向かって突出した一対のベーン（回転翼）３２４ａ、３２４ｂが、ロータ３２の回転軸３２０に沿って形成されている。ベーン３２４ａ、３２４ｂには、ベーン３２４ａ、３２４ｂの先端面３２３と円筒室３１１の側壁面３１３との間、ベーン３２４ａ、３２４ｂの下面（円筒室３１１の底面３１６と対向する面）３２５と円筒室３１１の底面３１６との間、および、ベーン３２４ａ、３２４ｂの上面（蓋１４側の面）３２６と蓋１４の下面１４２との間に形成されるギャップを塞ぐためのリップシール３２７（図１５参照）が取り付けられている。
【００８１】
図２０（Ａ）は、図１９（Ｂ）に示すロータ３２のＩ−Ｉ断面図であり、図２０（Ｂ）は、図２０（Ａ）のJ部分の拡大図であり、図２０（Ｃ）は、流路３２８ａ、３２８ｂの製造方法を説明するための図である。
【００８２】
一方のベーン３２４ａには、ベーン３２４ａおよび円筒室３１１の仕切り３１５ａにより形成される円筒室３１１内の領域３１１ａ（図２２参照）と、ベーン３２４ａおよび円筒室３１１の仕切り３１５ｂにより形成される円筒室３１１内の領域３１１ｂ（図２２参照）とを繋ぐ調圧弁用流路（オリフィス）３２８ａが形成されている。同様に、他方のベーン３２４ｂには、ベーン３２４ｂおよび円筒室３１１の仕切り３１５ａにより形成される円筒室３１１内の領域３１１ｃ（図２２参照）と、ベーン３２４ｂおよび円筒室３１１の仕切り３１５ｂにより形成される円筒室３１１内の領域３１１ｄ（図２２参照）とを繋ぐ調圧弁用流路３２８ｂが形成されている。
【００８３】
調圧弁用流路３２８ａ、３２８ｂの各々には、ベーン３２４ａ、３２４ｂの一方の側面３３２ａ、３３２ｂに形成された流路口３２８０、およびベーン３２４ａ、３２４ｂの他方の側面３３３ａ、３３３ｂに形成された流路口３２８１よりも、径方向流路断面積の大きい調圧弁用流路区間３２８２が、流路口３２８０、３２８１間に、軸心を流路口３２８０、３２８１の軸心からずらすようにして形成されている。この調圧弁用流路区間３２８２には、調圧弁３６が収容されている。
【００８４】
調圧弁３６は、調圧弁用流路３２８ａ、３２８ｂの一方の流路口３２８０を通過する粘性流体１３の流量を調整するニードル３６０と、ニードル３６０を調圧弁用流路３２８ａ、３２８ｂの一方の流路口３２８０側へ押圧するバネ等の弾性体３６２と、を有する。ここで、調圧弁用流路３２８ａ、３２８ｂの一方の流路口３２８０は、ロータ３２を正転方向（本実施の形態ではα方向）に回転させた場合に、充填されている粘性流体１３が加圧される領域３１１ａ、３１１ｂ（図２２参照）側に面した流路口である。
【００８５】
ニードル３６０は、調圧弁用流路３２８ａ、３２８ｂの一方の流路口３２８０を塞ぐためのテーパ付きの栓部３６１と、栓部３６１の先端に設けられたガイド３６３と、を有する。ガイド３６３は、領域３１１ｂ、３１１ｃ側から調圧弁用流路３２８ａ、３２８ｂの一方の流路口３２８０に挿入されており、調圧弁用流路３２８ａ、３２８ｂの一方の流路口３２８０に栓部３６１を誘導する。弾性体３６２の付勢によりニードル３６０が調圧弁用流路３２８ａ、３２８ｂの一方の流路口３２８０側に移動すると、栓部３６１が、ガイド３６３に誘導されて、調圧弁用流路３２８ａ、３２８ｂの一方の流路口３２８０に挿入される。これにより、調圧弁用流路３２８ａ、３２８ｂの一方の流路口３２８０が栓部３６１により塞がれる。
【００８６】
調圧弁用流路３２８ａ、３２８ｂは、例えば図２０（Ｃ）に示すように、調圧弁用流路３２８ａ、３２８ｂの一部（一方の流路口３２８０、調圧弁用流路区間３２８２）をなす貫通孔３２８４をベーン３２４ａ、３２４ｂに予め形成しておき、この貫通孔３２８４に、調圧弁３６を挿入し、それから、調圧弁用流路３２８ａ、３２８ｂの一部（他方の流路口３２８１）が形成されたブロック３２８５を嵌入することにより、形成することができる。
【００８７】
なお、ニードル３６０の円滑な移動を実現するために、流路口３２８０の径方向に対するガイド３６３のガタツキを防止するガイド（例えば、流路口３２８０の調圧弁用流路区間３２８２側端面部に形成された３点以上の突起部）を設けてもよい。
【００８８】
つぎに、ロータリダンパ３の動作原理を説明する。図２１〜図２３は、ロータリダンパ３の動作原理を説明するための図である。
【００８９】
図２１および図２２に示すように、ケース３１に対してロータ３２が正転方向（本実施の形態ではα方向）に相対的に回転した場合、逆止弁３５が、第一の逆止弁用流路区間３３８１と第二の逆止弁用流路区間３３８２との境界まで第二の逆止弁用流路区間３３８２内をスライドして、第一の逆止弁用流路区間３３８１を塞ぐ。これにより、逆止弁用流路３３８ａ、３３８ｂが閉口する。
【００９０】
ここで、ロータ３２またはケース３１に加えられた回転力（α方向の回転速度）が調圧弁３６の弾性体３６２の弾性係数により定まる所定値未満ならば、図２１に示すように、弾性体３６２により押圧されたニードル３６０の栓部３６１が、調圧弁用流路３２８ａ、３２８ｂの一方の流路口３２８０に押し込まれたままとなり、調圧弁用流路３２８ａ、３２８ｂが閉口する。このため、円筒室３１１内において、仕切り３１５ａ、３１５ｂおよびロータ３２のベーン３２４ａ、３２４ｂにより区切られる領域３１１ａ〜領域３１１ｄ間の粘性流体１３の移動は、仕切り３１５ａ、３１５ｂの先端面３１４とロータ本体３３１の外周面３２２との間に形成されるギャップ等を介してのみに制限される。これにより、領域３１１ａ、３１１ｄ内の粘性流体１３の圧力が高まって、強い制動トルクが発生する。
【００９１】
ロータ３２またはケース３１に加えられた回転力が上述の所定値以上ならば、図２２に示すように、調圧弁用流路３２８ａ、３２８ｂを流れようとする粘性流体１３の圧力によりニードル３６０が押し戻されて、ニードル３６０の栓部３６１が第一の調圧弁用流路区間３２８１から離れ、調圧弁用流路３２８ａ、３２８ｂが開口する。このため、調圧弁用流路３２８ａ、３２８ｂ経由での粘性流体１３の移動の制限が解除され、粘性流体１３が、調圧弁用流路３２８ａ、３２８ｂを介して、領域３１１ａ、３１１ｄから領域３１１ｂ、３１１ｃへ移動する。これにより、強い制動トルクを発生させつつも、領域３１１ａ、３１１ｄ内の粘性流体１３の圧力が所定値以上に高くなるのを防止できる。
【００９２】
一方、図２３に示すように、ケース３１に対してロータ３２が逆転方向（本実施の形態ではβ方向）に相対的に回転した場合、逆止弁３５は、ストッパ３３８３に当接するまで第二の逆止弁用流路区間３３８２内を領域３１１ａ、３１１ｄ側にスライドする。これにより、逆止弁３５が第一の逆止弁用流路区間３３８１から離れて、逆止弁用流路３３８ａ、３３８ｂが開口する。このため、粘性流体１３は、逆止弁用流路３３８ａ、３３８ｂを介して、領域３１１ｂ、３１１ｃから領域３１１ａ、３１１ｄへと移動する。これにより、領域３１１ｂ、３１１ｃ内の粘性流体１３の圧力が高くならずに、弱い制動トルクが発生する。
【００９３】
以上、本発明の第三実施の形態を説明した。
【００９４】
本実施の形態でも、上記第一、第二実施の形態と同様、ロータ３２に想定以上の回転力が加わった場合に、円筒室３１１内に充填された粘性流体１３に対する圧力を所定値以下に抑えることができるので、ロータリダンパ３が破損する可能性を低くすることができる。また、調圧弁３６を内設する流路３２８ａ、３２８ｂをロータ３２のベーン３２４ａ、３２４ｂに形成し、逆止弁３５を内設する流路３３８ａ、３３８ｂを円筒室３１１の仕切り３１５ａ、３１５ｂに形成しているので、これらの流路をベーン３２４ａ、３２４ｂおよび仕切り３１５ａ、３１５ｂの一方にまとめて形成する場合に比べ、ロータリダンパ３の小型化が可能となる。
【００９５】
なお、本実施の形態では、円筒室３１１の仕切り３１５ａ、３１５ｂに逆止弁３５用の流路３２８ａ、３２８ｂを形成し、ロータ３２のベーン３２４ａ、３２４ｂに調圧弁３６用の流路３２８ａ、３２８ｂを形成したが、本発明はこれに限定されない。例えば、円筒室３１１の仕切り３１５ａ、３１５ｂに調圧弁３６用の流路を形成し、ロータ３２のベーン３２４ａ、３２４ｂに逆止弁３５用の流路を形成してもよい。また、ロータリダンパ３に対する小型化の要求が厳しくない場合には、これらの流路をベーン３２４ａ、３２４ｂおよび仕切り３１５ａ、３１５ｂの一方にまとめて形成してもよい。
【００９６】
また、本実施の形態において、ロータ３２のベーン３２４ａ、３２４ｂに取り付けられたリップシール３２７に逆止弁としての機能を付与することにより、逆止弁３５および逆止弁用流路３３８ａ、３３８ｂを省略してもよい。すなわち、ケース３１に対してロータ３２が正転方向（本実施の形態ではα方向）に相対的に回転した場合、図２４（Ａ）に示すように、ベーン３２４ａ、３２４ｂの先端面３２３と円筒室３１１の側壁面３１３とのギャップ３８を流れる粘性流体１３の圧力により、このギャップ３８を塞ぐ方向に変形し、ケース３１に対してロータ３２が逆転方向（本実施の形態ではβ方向）に相対的に回転した場合には、図２４（Ｂ）に示すように、このギャップ３８を流れる粘性流体１３の圧力により、このギャップ３８を開放する方向に変形するように、リップシール３２７の先端部３２７１に弾性を持たせる。このようにして、逆止弁３５および逆止弁用流路３３８ａ、３３８ｂを省略することにより、より安価にロータリダンパ３を作製することができる。
【００９７】
なお、上記の各実施の形態に係るロータリダンパ１〜３では、円筒室１１１、２１１、３１１に一対の仕切り１１５ａ、１１５ｂ、２１５ａ、２１５ｂ、３１５ａ、３１５ｂを設けるとともに、ロータ１２、１２ａ、３２に一対のベーン１２４ａ、１２４ｂ、３２４ａ、３２４ｂを設けた場合を例にとり説明した。しかし、本発明はこれに限定されない。円筒室に形成された仕切りおよびロータに形成されたベーンが同数であれば、１または３以上形成されていてもよい。
【００９８】
また、上記の各実施の形態に係るロータリダンパ１〜３は、例えば、自動車、鉄道車両、航空機、船舶等で用いられるリクライニング機能付きの座席シートに広く適用できる。
【符号の説明】
【００９９】
１〜３：ロータリダンパ、１１：ケース、１２，１２ａ：ロータ（回転体）、１３：粘性流体、１４：蓋、１５：逆止弁、１６：調圧弁、１７：リップシール、１８：ネジ、２１：ケース、２２ａ，２２ｂ：調圧機能付き逆流防止機構、２５：逆止弁、２６：調圧弁、３１：ケース、３２：ロータ（回転体）、３５：逆止弁、１１０：円筒室１１１の中心線、１１１：円筒室、１１２：ケース本体、１１３：ケース本体１１２の内周面（円筒室１１１の側壁面）、１１４：仕切り１１５ａ、１１５ｂの先端面、１１５ａ，１１５ｂ：仕切り、１１６：円筒室１１１の底面、１１７：円筒室１１１の開口部、１１８：フランジ部、１１８ａ：フランジ部１１８のネジ穴、１２０：ロータ１２の回転軸、１２１：ロータ本体１３１の貫通孔、１２２：ロータ本体１３１の外周面、１２３：ベーン１２４ａ、１２４ｂの先端面、１２４ａ，１２４ｂ：ベーン、１２５：ベーン１２４ａ、１２４ｂの下面、１２６：ベーン１２４ａ、１２４ｂの上面、１２７：リップシール、１２８ａ，１２８ｂ：流路（オリフィス）、１２９ａ：ロータ本体１３１の下端部、１２９ｂ：ロータ本体１３１の上端部、１３１：ロータ本体、１３２ａ，１３２ｂ：ベーン１２４ａ、１２４ｂの側面、１３３ａ，１３３ｂ：ベーン１２４ａ、１２４ｂの側面、１４１：蓋１４の開口部、１４２：蓋１４の下面、１４３ａ：蓋１４の貫通孔、１５１：逆止弁１５の貫通孔、１６０：調圧弁１６のニードル、１６１：ニードル１６０の栓部、１６２：調圧弁１６の弾性体、１６３：ニードル１６０のストッパ、２１０：円筒室２１１の中心線、２１１：円筒室、２１２：ケース本体、２１３：ケース本体２１２の内周面（円筒室２１１の側壁面）、２１４：仕切り２１５ａ、２１５ｂの先端面、２１５ａ、２１５ｂ：仕切り、２１６：円筒室２１１の底面、２１７：円筒室２１１の開口部、２１８：フランジ部、２１８ａ：フランジ部２１８のネジ穴、２１９：流路２２８ａ、２２８ｂの凸部、２２８ａ，２２８ｂ：流路、２２９ａ，２２９ｂ：流路２２８ａ、２２８ｂの流路口、２５１：逆止弁２５の弁部、２５２：逆止弁２５のストッパ、２５３：弁部２５１の貫通孔、２５４：逆止弁２５の保持部、２５５：逆止弁２５の連結部、２６１：調圧弁２６の栓部、２６２：調圧弁２６の弾性体、２６３：ニードル２６４のガイド、２６４：調圧弁２６のニードル、３１０：円筒室３１１の中心線、３１１：円筒室、３１３：円筒室３１１の側壁面、３１４：仕切り３１５ａ、３１５ｂの先端面、３１５ａ，３１５ｂ：仕切り、３１６：円筒室３１１の底面、３１７：円筒室３１１の開口部、３２０：ロータ３２の回転軸、３２１：ロータ本体３３１の貫通孔、３２２：ロータ本体３３１の外周面、３２３：ベーン３２４ａ、３２４ｂの先端面、３２４ａ，３２４ｂ：ベーン、３２５：ベーン３２４ａ、３２４ｂの下面、３２６：ベーン３２４ａ、３２４ｂの上面、３２７：リップシール、３２８ａ，３２８ｂ：調圧弁用流路、３２９ａ：ロータ本体３３１の下端部、３２９ｂ：ロータ本体３３１の上端部、３３１：ロータ本体、３３２ａ，３３２ｂ：ベーン３２４ａ、３２４ｂの側面、３３３ａ，３３３ｂ：ベーン３２４ａ、３２４ｂの側面、３３８ａ、３３８ｂ：逆止弁用流路、３６０：ニードル、１２８０：第一の流路区間、１２８１：第二の流路区間、１２８２：第三の流路区間、１２８３：流路１２８ａ、１２８ｂの内壁、１２８４，１２８５：流路１２８ａ、１２８ｂの流路口、１２８６：第二の流路区間１２８１と第三の流路区間１２８２との境界、１２８７：第一の流路区間１２８０と第二の流路区間１２８１との境界、１２８８：ベーン１２４ａ、１２４ｂの貫通孔、１２８９：ブロック、３２７１：リップシール３２７の先端部、３２８０，３２８１：調圧弁用流路３２８ａ、３２８ｂの流路口、３２８２：調圧弁用流路区間、３２８４：ベーン３２４ａ、３２４ｂの貫通孔、３２８５：ブロック、３３８１：第一の逆止弁用流路区間、３３８２：第二の逆止弁用流路区間、３３８３：逆止弁３５のストッパ
【図１】
0005702208.tif 000002
【図２】
0005702208.tif 000003
【図３】
0005702208.tif 000004
【図４】
0005702208.tif 000005
【図５】
0005702208.tif 000006
【図６】
0005702208.tif 000007
【図７】
0005702208.tif 000008
【図８】
0005702208.tif 000009
【図９】
0005702208.tif 000010
【図１０】
0005702208.tif 000011
【図１１】
0005702208.tif 000012
【図１２】
0005702208.tif 000013
【図１３】
0005702208.tif 000014
【図１４】
0005702208.tif 000015
【図１５】
0005702208.tif 000016
【図１６】
0005702208.tif 000017
【図１７】
0005702208.tif 000018
【図１８】
0005702208.tif 000019
【図１９】
0005702208.tif 000020
【図２０】
0005702208.tif 000021
【図２１】
0005702208.tif 000022
【図２２】
0005702208.tif 000023
【図２３】
0005702208.tif 000024
【図２４】
0005702208.tif 000025